【手続補正書】
【提出日】令和2年6月22日(2020.6.22)
【手続補正１】
【補正対象書類名】特許請求の範囲
【補正対象項目名】全文
【補正方法】変更
【補正の内容】
【特許請求の範囲】
【請求項１】
マルチサブスクリプションを用いる、ユーザ機器(UE)におけるワイヤレス通信のための方法であって、
マルチサブスクリプション調整能力をネットワークに送信するステップと、
前記マルチサブスクリプション調整能力に少なくとも部分的に基づいて、前記ネットワークとの第1のサブスクリプション用のリンクを確立するステップと、
前記マルチサブスクリプション調整能力に少なくとも部分的に基づき、前記リンクを使って、前記ネットワークとの第2のサブスクリプションを確立するステップであって、前記第1のサブスクリプションは前記第2のサブスクリプションに関連付けられる、ステップとを含む、方法。
【請求項２】
前記第1のサブスクリプションはネットワークスライスの第1のセットに関連付けられ、前記第2のサブスクリプションはネットワークスライスの第2のセットに関連付けられ、
特に、ネットワークスライスの前記第1のセットとネットワークスライスの前記第2のセットは異なる、
または、特に、ネットワークスライスの前記第1のセットは第1のシグナリング接続に関連付けられ、ネットワークスライスの前記第2のセットは第2のシグナリング接続に関連付けられる、
または、特に、ネットワークスライスの前記第1のセットは、第1の制御ネットワーク機能(CNF)、ならびに第1のアクセスおよびモビリティ機能(AMF)に関連付けられ、ネットワークスライスの前記第2のセットは、前記第1の制御ネットワーク機能(CNF)とは異なる第2のCNF、および前記第1のAMFとは異なる第2のAMFに関連付けられる、
または、特に、ネットワークスライスの前記第1のセットとネットワークスライスの前記第2のセットは、前記ネットワークおよび前記UEの前記マルチサブスクリプション調整能力に少なくとも部分的に基づいて、共通UE無線周波数(RF)および物理リンクを共有する、
または、前記方法は、
前記第1のサブスクリプションおよび前記第2のサブスクリプションが、同じサービングセルとRRC接続済み状態にあると判断するステップと、
前記判断したことに少なくとも部分的に基づいて、前記同じサービングセルにサブスクリプション関連付け指示を送信するステップとをさらに含む、請求項1に記載の方法。
【請求項３】
物理レイヤ共有能力指示は、少なくとも、同じサービングセルに関連付けられた前記第1のサブスクリプションおよび前記第2のサブスクリプションに関連付けられる、
または、前記マルチサブスクリプション調整能力は、加入者識別モジュール(SIM)、ユニバーサルSIM(USIM)、符号分割多元接続(CDMA)SIM(CSIM)、ユーザ識別モジュール(UIM)、ソフトSIM、証明書、またはそれらの組合せのうちの少なくとも1つを含み、
特に、前記SIMは、一意の加入者識別子(ID)、セキュリティ鍵、1つもしくは複数の追加パラメータ、またはそれらの組合せのうちの少なくとも1つを含む、請求項1に記載の方法。
【請求項４】
前記マルチサブスクリプション調整能力の一部として、物理レイヤ共有能力を含む無線リソース制御(RRC)メッセージを前記ネットワークに送信するステップをさらに含み、
前記方法は、
前記第2のサブスクリプション用のRRC接続セットアップフェーズを開始するステップと、
前記第1のサブスクリプションの無線ネットワーク一時識別子(RNTI)を少なくとも含むRNTIリストに少なくとも部分的に基づいて、前記第1のサブスクリプションと前記第2のサブスクリプションとの間のサブスクリプション関連付け情報を前記第1のサブスクリプションのサービングセルに送信するステップと、
物理レイヤ共有および少なくとも1つのマルチサブスクリプションパラメータをもつRRC接続再構成メッセージを前記サービングセルから受信するステップとをさらに含み、
さらに、特に、前記サブスクリプション関連付け情報を送信するステップは、既存のRRCメッセージ、もしくは接続セットアップ完了メッセージ、もしくは新規RRCメッセージ中の新規情報要素(IE)、またはそれらの任意の組合せのうちの少なくとも1つによる、
または、さらに、特に、前記サブスクリプション関連付け情報に少なくとも部分的に基づき、少なくとも1つのサブスクリプションを使って、無線リソース管理(RRM)測定、もしくはチャネル状態情報(CSI)測定、もしくは電力ヘッドルーム(PHR)測定、もしくは無線リンク障害(RLF)測定、またはそれらの組合せを実施するステップをさらに含む、請求項1に記載の方法。
【請求項５】
前記マルチサブスクリプションは、単一の事業者か、またはマルチサブスクリプションが同じセル中の同じUEに関連付けられているという、前記ネットワークへの指示に関連付けられる、
または、前記方法は、
前記第1のサブスクリプションのサービングセルが前記第2のサブスクリプションのサービングセルとは異なると判断するステップと、
前記判断したことに少なくとも部分的に基づいて、前記第2のサブスクリプション用に、前記第1のサブスクリプションの前記サービングセルへのセル再選択をトリガするステップと、
前記セル再選択をトリガしたことに少なくとも部分的に基づいて、前記第2のサブスクリプション用のRRC接続を開始するステップとをさらに含む、請求項1に記載の方法。
【請求項６】
データパケット、RRC接続メッセージ、専用RRCメッセージの情報要素(IE)、またはそれらの組合せのうちの少なくとも1つを使って、前記第1のサブスクリプションにより、前記UEに関連付けられたアイデンティティ情報を前記ネットワークに送信するステップと、
データパケット、RRC接続メッセージ、専用RRCメッセージのIE、またはそれらの組合せのうちの少なくとも1つを使って、前記第2のサブスクリプションにより、前記UEに関連付けられたアイデンティティ情報を前記ネットワークに送信するステップとをさらに含む、
または、前記UEは単一の無線または複数の無線のうちの少なくとも1つに関連付けられ得、
前記方法は、前記UEの前記複数の無線に関連付けられた複数のサブスクリプションのサブスクリプション関連付け情報を前記ネットワークに報告するステップであって、前記複数の無線の各無線は、少なくとも1つのサブスクリプションに関連付けられる、ステップを特にさらに含む、請求項1に記載の方法。
【請求項７】
ワイヤレス通信のための方法であって、
物理レイヤ共有能力指示をユーザ機器(UE)から受信するステップと、
マルチサブスクリプション調整能力を前記UEから受信するステップとを含む、方法。
【請求項８】
サブスクリプション関連付け情報に少なくとも部分的に基づいて、電力ヘッドルーム(PHR)測定、もしくはチャネル状態情報(CSI)測定、もしくはピーク対平均電力比測定、またはそれらの組合せを前記UE用に構成するステップと、
前記PHR測定、もしくは前記CSI測定、もしくは前記ピーク対平均電力比測定、またはそれらの前記組合せの報告を、少なくとも1つのサブスクリプションについて構成するステップとをさらに含む、請求項7に記載の方法。
【請求項９】
第1のサブスクリプションから、前記UEに関連付けられたアイデンティティ情報を受信するステップと、
第2のサブスクリプションから、前記UEに関連付けられたアイデンティティ情報を受信するステップと、
前記第1のサブスクリプションおよび前記第2のサブスクリプションから受信された前記アイデンティティ情報を比較するステップと、
前記比較したことに少なくとも部分的に基づいて、前記アイデンティティ情報を検証するステップとをさらに含み、
前記方法は、前記第1のサブスクリプションおよび前記第2のサブスクリプションからの前記受信されたアイデンティティ情報を、ホームサブスクリプション契約サーバデータベースに登録された前記UEのアイデンティティと比較するステップを特にさらに含む、請求項7に記載の方法。
【請求項１０】
第1のサブスクリプションが第1のサービングセルと接続されると判断するステップと、
第2のサブスクリプションが第2のサービングセルと接続されると判断するステップと、
前記第1のサービングセルと前記第2のサービングセルが異なると判断するステップと、
前記異なると判断したことに少なくとも部分的に基づいて、前記第2のサブスクリプション用に、前記第1のサービングセルへのセル再選択をトリガするステップとをさらに含み、
特に、前記第2のサブスクリプション用の前記第1のサービングセルへの前記セル再選択は、キャリアアグリゲーション構成、またはデュアル接続性構成、またはマスターセルグループもしくは2次セルグループ構成に少なくとも部分的に基づく、請求項7に記載の方法。
【請求項１１】
ワイヤレス通信のための装置であって、
プロセッサと、
前記プロセッサと電子通信しているメモリとを備え、
前記プロセッサおよびメモリは、
マルチサブスクリプション調整能力をネットワークに送信することと、
前記マルチサブスクリプション調整能力に少なくとも部分的に基づいて、前記ネットワークとの第1のサブスクリプション用のリンクを確立することと、
前記マルチサブスクリプション調整能力に少なくとも部分的に基づき、前記リンクを使って、前記ネットワークとの第2のサブスクリプションを確立することであって、前記第1のサブスクリプションは前記第2のサブスクリプションに関連付けられる、確立することとを行うように構成される、装置。
【請求項１２】
前記第1のサブスクリプションはネットワークスライスの第1のセットに関連付けられ、前記第2のサブスクリプションはネットワークスライスの第2のセットに関連付けられる、請求項11に記載の装置。
【請求項１３】
ワイヤレス通信のための装置であって、
プロセッサと、
前記プロセッサと電子通信しているメモリとを備え、
前記プロセッサおよびメモリは、
物理レイヤ共有能力指示をユーザ機器(UE)から受信することと、
マルチサブスクリプション調整能力を前記UEから受信することとを行うように構成される、装置。
【請求項１４】
前記プロセッサおよび前記メモリは、
サブスクリプション関連付け情報に少なくとも部分的に基づいて、電力ヘッドルーム(PHR)測定、もしくはチャネル状態情報(CSI)測定、もしくはピーク対平均電力比測定、またはそれらの組合せを前記UE用に構成することと、
前記PHR測定、もしくは前記CSI測定、もしくは前記ピーク対平均電力比測定、またはそれらの前記組合せの報告を、少なくとも1つのサブスクリプションについて構成することとを行うように構成される、請求項13に記載の装置。
【請求項１５】
命令を備えたコンピュータプログラムであって、前記命令は、コンピュータ上で実行されると、前記コンピュータに、請求項1から10のいずれか一項に記載の方法のステップを行わせる、コンピュータプログラム。